(57)【要約】      （修正有）【課題】ハンドルの回転をよりスムーズにしたホースリールを提供する。【解決手段】本体ケースにハンドル５０を設け、ドラム回転軸とハンドル軸とがベルト部材を介して結合されてなるドラム式ホースリールにおいて、ベルト部材を付勢する付勢部を備えてなることを特徴とするホースリール。【選択図】図４
2014076892.tif 000002
【特許請求の範囲】
【請求項１】
ドラムを回動してホースを巻き取るホースリールにおいて、
本体ケースのドラム回転軸上方にハンドルを設けたことを特徴とするホースリール。
【請求項２】
前記ドラム回転軸と前記ハンドル軸とは、伝達部で結合されてなることを特徴とする請求項１記載のホースリール。
【請求項３】
前記伝達部はギア部材又はベルト部材からなることを特徴とする請求項２記載のホースリール。
【請求項４】
本体ケースにハンドルを設け、ドラム回転軸とハンドル軸とがベルト部材を介して結合されてなるドラム式ホースリールにおいて、ベルト部材を付勢する付勢部を備えてなることを特徴とするホースリール。
【発明の詳細な説明】
【技術分野】
【０００１】
本発明は、ホースを巻き取るホースリールに関する。
【背景技術】
【０００２】
従来、散水用のホースを巻き取る際には、ホースリールが用いられていた。
ホースリールは胴部の両端側に鍔部を有した、胴部を水平方向に配置したドラムをフレームに回動自在に支持し、フレームをドラムが収容される形状に形成し、ドラムの両鍔部間の巻取位置に対向するフレームの部位であって、胴部の水平中心軸線よりも上方にホースの出入口を略垂直状に設け、出入口の幅寸法を上方へ向かうに従って小さくなるように構成されている。
【０００３】
また、ドラムは、ホースが巻き付けられる胴部と、該胴部の両端部に設けられた鍔部とによって形成されており、フレームに固定されている。フレームにはハンドルが設けられており、ハンドルを回転させることでドラムを回転可能としている。
【先行技術文献】
【特許文献】
【０００４】
【特許文献１】特開２００４−２３８１１６
【発明の開示】
【発明が解決しようとする課題】
【０００５】
しかしながら、このようなホースリールにあっては、本体を押さえて片手でハンドルを回転させるだけで簡単にホースを巻き取り出来る構成であるが、ホースに水が溜まってしまった場合などには、ハンドルの回転が重く感じられてしまうことがあった。
【０００６】
本発明は、このような従来の課題に鑑みてなされたものであり、ハンドルの回転をよりスムーズにしたホースリールの提供を目的とするものである。
【課題を解決するための手段】
【０００７】
前記課題を解決するために本発明の請求項１のホースリールにあっては、ドラムを回動してホースを巻き取るホースリールにおいて、本体ケースのドラム回転軸上方にハンドルを設けた。
【０００８】
さらに、請求項２のホースリールでは、ドラム回転軸とハンドル軸とは、伝達部で結合されてなる。
【０００９】
請求項３のホースリールにあっては、伝達部はギア部材又はベルト部材からなる。
【００１０】
請求項４のホースリールにあっては、本体ケースにハンドルを設け、ドラム回転軸とハンドル軸とがベルト部材を介して結合されてなるドラム式ホースリールにおいて、ベルト部材を付勢する付勢部を備えてなる。
【発明の効果】
【００１１】
以上説明したように、本発明のホースリールにあっては、ハンドルの軽い操作性が得られ、ハンドルの回転作業が行ないやすい。
【発明を実施するための最良の形態】
【００１２】
以下、本発明の一実施の形態を図に従って説明する。図１は、本実施の形態にかかるホースリールを示す図であり、図２は本実施の形態にかかるホースリールを下方から見た図である。図3は本実施の形態にかかるホースリールにおいてケースの一部を取り除いた図であり、図４は伝達部のケースの一部を取り除いた図である。図5は伝達部の他の例を示す図であり、図６は本実施の形態にかかるドラムである。
【００１３】
ホースリール１は、フレームを構成する矩形状の本体ケース１１を備えてなり、本体ケース１１は、それぞれ左右に開口する右ケース１２、左ケース１３および底面を構成する台座１４０とからなる。右ケース１２は左側に開口する矩形容器状ケースで、左ケース13は右側に開口する矩形容器状のケースである。両者は開口縁にて図外のタッピンネジで結合されている。そして底部に左右ケースを回転自在に支持する台座１４０が設けられている。
【００１４】
また、本体ケース１１の天面１０は、図１及び図３に示すように、平坦な矩形状に形成されている。天面１０は他のホースリールの本体ケース１１を積載できる広さに設定されており、積載部を構成している。天面１０の一端側はドラムの外径に沿って刳り貫くように開口１０１が設けられている。その開口を利用して把手６０が設けられている。
【００１５】
右ケースの側面中央であって、ドラム回転軸上方には、円形穴が設けられており、円形穴には、ドラム１５を回動する為のクランク状ハンドル５０の軸が挿通されている。
【００１６】
加えて、左ケース側面に設けられた円形穴には、蛇口側のホースが接続される接続プラグが挿通されており、接続プラグには、ドラム１５に巻かれたホースが接続されるパイプ部材の一端が接続されている。これにより、蛇口からの水道水を、接続プラグを介してパイプ部材へ供給するとともに、パイプ部材を介してドラム１５に巻かれた散水側のホースに供給できるように構成されている。
【００１７】
本体ケース１１の底面には、矩形状の底面開口部が開設されており、本体ケース１１は、この底面開口部を介して外部に連通している。
【００１８】
そして、底面の台座１４０には脚部６７，６７が回動自在に支持されている。
【００１９】
両脚部６７，６７は回動することによって、両脚部６７，６７の先端が本体ケース１１の下部に配置され両脚部６７，６７が底面開口部の下部に配置された折り畳み状態と、両脚部６７，６７の先端が本体ケース１１より側方へ延出し、回動が規制された展開状態とを任意に形成できるように構成されている。
【００２０】
これにより、展開状態において、本体ケース１１の起立状態の安定化を図れるように構成されており、折り畳み状態にあっては、底面に開設された底面開口部を脚部６７，６７によって閉鎖できるように構成されている。
【００２１】
そして、この本体ケース１１の内側にはドラム１５とホース（図示なし）が設けられている。ドラムは樹脂製でホース挿通穴を貫通したホースが巻かれる円筒状の胴部１７と、胴部１７の両端側に設けられた鍔部１８，１８と鍔部から突出する一体または別体に設けられた回転軸１９によって構成されている。本例では別体のドラムキャップ１５１を用いている。ドラムキャップはナイロンやポリアミド系樹脂を用いることで滑り性を向上させることが出来る。
【００２２】
加えて、右ケース側面のドラム回転軸上方にはホースを巻き取るための回転ハンドル５０が設けられ、ハンドルによってドラムが回転可能となるようにドラム回転軸とハンドル軸とは、伝達部で結合されている。ハンドルの回転体５１側の軸と伝達部側の軸の間隔Ａは１０センチメートル以上１５センチメートル以下に設けられていることが望ましい。
【００２３】
このドラム１５は、２０ｍのホースを巻き取れる容量に設定されており、ドラム１５に巻き取られるホースの長さ寸法は、２０ｍに設定されている。
【００２４】
右ケース１２の内側には回転軸とハンドルをつなぐ伝達部となる伝達部ボックス７０が設けてある。伝達部ボックスの内部には、ベルト伝達部、歯車部又はチェーン伝達部などを設けることができる。
【００２５】
本実施形態では、ベルト伝達部と歯車部の例で説明する。
ベルト伝達部は図３、図４に示すように伝達部ボックスに設けられた第１プーリー７１、第２プーリー７２、第３プーリー７３からなる３つのプーリーと第１プーリー７１と第２プーリー７２に掛け渡されたベルト７５とからなり、第３プーリー７３がベルトにテンションを与えている。なお、伝達部ボックスには下部にゴミ等の排出口となる穴を設けたり、任意の場所に空気穴などを設けることができる。
【００２６】
第１プーリーはドラムの回転軸１９と接合しており、第１プーリーと回転ドラムの回転数は同期する。
【００２７】
第２プーリー７２はハンドル５０に接続され、ハンドルの回転体５１を握ってハンドルを回転させることで、第２プーリーもハンドルと同期し同一回転数だけ回転する。第２プーリーの回転はベルトを介して大径の第１プーリーに伝わる。
【００２８】
第３プーリー７３は一端が固定された平板７３２の他端に固着され、バネ７３１によって第１プーリー７１と第２プーリー７２の中心軸を結んだ仮想線側に付勢されるように構成されている。第３プーリーの軸は左右方向に移動可能なように伝達部ボックスの側面には長穴７０１が設けてある。それによって第１プーリー７１と第２プーリー７２を結ぶベルトがスリップしない様に構成されている。
【００２９】
ハンドル５０をＮ回だけ回転させると、第２プーリー７２もＮ回だけ回転し、第1プーリーもそれに追従してＮ回より少なく回転する。そして、第1プーリーに追従するドラムも同様にＮ回より少なく回転する。ハンドルの回転数はドラムの回転数より多くなる一方で、ハンドルに加えなければならない利用者の力（トルク）が減少する。それにより軽いハンドルの操作性が得られる。
【００３０】
そして、本体ケースのドラム回転軸上方にハンドルが設けられているので、ハンドルの回転作業が行ないやすい。加えてハンドルの回転体５１側の軸と伝達部側の軸の間隔Ａは従来品より長めに設定されているので軽く操作することができる。以上の構成の相乗効果により、利用者の作業性は格段に向上する。ベルト伝達部はプーリーを用いることで、反対回転の衝撃をやわらげることができる。又、第３プーリーの付勢によって、ベルトの撓み吸収やベルトの外れ防止が実現できる。
【００３１】
次に、伝達部に歯車部を用いた例で説明する。歯車部は図５に示すように第１歯車８１、第２歯車８２、第３歯車８３の３つの歯車からなる。第１歯車と第２歯車、第２歯車と第３歯車はそれぞれ歯がかみ合っており、第１歯車、第２歯車、第３歯車は一直線上に配置されている。
第１歯車と第２歯車は同径であり、第３歯車は第１歯車と第２歯車よりも小径としてある。第３歯車はハンドル５０に接続されハンドルの回転体を握ってハンドルを回転させることで、第３歯車もハンドルと同期し同一回転数だけ回転する。
【００３２】
第１歯車はドラムの回転軸１９と接合しており、第１歯車と回転ドラムの回転数も同期する。
【００３３】
ハンドル５０をＮ回だけ回転させると、第３歯車もＮ回だけ回転し、第２歯車もそれに追従してＮ回より少なく回転する。そして、第２歯車に追従する第１歯車とドラムも同様にＮ回より少なく回転する。
【００３４】
ハンドルの回転数はドラムの回転数より多くなる一方で、ハンドルに加えなければならない利用者の力（トルク）が減少する。それにより軽いハンドルの操作性が得られる。
【００３５】
本体ケースのドラム回転軸上方にハンドルが設けられているので、ハンドルの回転作業が行ないやすい。両者によって利用者の作業性は格段に向上する。
【図面の簡単な説明】
【００３６】
【図１】本実施の形態にかかるホースリールを示す図である。
【図２】本実施の形態にかかるホースリールを下方から見た図である。
【図３】本実施の形態にかかるホースリールにおいてケースの一部を取り除いた図。
【図４】同伝達部のケースの一部を取り除いた図である。
【図５】伝達部の他の例を示す図である。
【図６】本実施の形態にかかるドラム図である。
【符号の説明】
【００３７】
１   
ホースリール
１０    天面
１１   
本体ケース
１２   
右ケース
１３   
左ケース
１４    底面
１４０  台座
１４１  ボルト
１５   
ドラム
１５１   
ドラムキャップ
１７    胴部  
１８   
鍔部
１９   
回転軸
３１   
前面
３２   
ガイド部
３３   
出入口
３６   
下方規制部
３９   
巻取開始位置
４０   
通過経路
５０   
ハンドル
５１   
回転体
６０    把手
７０    伝達部ボックス
７０１    長穴
７１    第１プーリー
７２    第２プーリー
７３    第３プーリー
７３１    バネ
７３２    平板
８１    第１歯車
８２    第２歯車
８３    第３歯車
【図１】
2014076892.tif 000003
【図２】
2014076892.tif 000004
【図３】
2014076892.tif 000005
【図４】
2014076892.tif 000006
【図５】
2014076892.tif 000007
【図６】
2014076892.tif 000008